(57)【要約】【課題】止水部材による優れた止水性を維持可能なコネクタを提供すること。【解決手段】コネクタ１は、端子収容室１１への端子の挿入口１１ａを取り囲むように設けられた筒状部１５を有するハウジング１０と、筒状部１５に挿入されて挿入口１１ａを止水する止水部材２０と、止水部材２０の位置を保持する保持部材３０と、を備える。保持部材３０は、筒状部１５の開口部１５ａに近い側の保持部材３０の端部に、保持部材３０の外表面から筒状部１５の内周面に向けて突出する突起部３３，３５，３６を有する。【選択図】図４
2020072056.tif 000002
【特許請求の範囲】
【請求項１】
電線の端末に接続された端子を収容する端子収容室と、前記端子収容室への前記端子の挿入口を取り囲むように設けられた筒状部と、を有するハウジングと、
前記筒状部の開口部から挿入されて前記挿入口を止水する止水部材と、
前記挿入口との間に前記止水部材を挟むように前記開口部から挿入され、前記止水部材の位置を保持する保持部材と、を備える、コネクタであって、
前記保持部材は、
前記筒状部の前記開口部に近い側の当該保持部材の端部に、当該保持部材の外表面から前記筒状部の内周面に向けて突出する突起部を有する、
コネクタ。
【請求項２】
請求項１に記載のコネクタにおいて、
前記突起部は、
前記筒状部への前記保持部材の挿入方向の前方から後方に向かうにつれて前記保持部材の前記外表面から離れるように傾斜した傾斜面、を有する、
コネクタ。
【請求項３】
請求項１又は請求項２に記載のコネクタにおいて、
前記保持部材は、
前記筒状部の内周面の形状に対応した柱状の形状を有し、当該保持部材の周方向における角部分の少なくとも一つに、前記突起部を有する、
コネクタ。
【請求項４】
請求項１又は請求項２に記載のコネクタにおいて、
前記突起部は、
前記保持部材の周方向に延びる突条形状を有する、
コネクタ。
【発明の詳細な説明】
【技術分野】
【０００１】
本発明は、端子収容室を止水する止水部材と、止水部材を保持する保持部材と、を備えたコネクタに関する。
【背景技術】
【０００２】
従来から、電線の端部に接続された端子が収容される端子収容室を備えたハウジングと、ハウジングの後方に設けられて電線とハウジングとの間をシールする止水部材と、止水部材をハウジングに組付ける保持部材と、を備えるコネクタが知られている（例えば、特許文献１を参照）。
【先行技術文献】
【特許文献】
【０００３】
【特許文献１】特開２０１８−０１８５８３号公報
【発明の概要】
【発明が解決しようとする課題】
【０００４】
しかし、上述した従来のコネクタは、コネクタに繋がる電線に大きな外力が及んだ場合などにおいて、保持部材および止水部材の位置ズレが生じ、止水部材による止水性が低下する可能性がある。このような止水性の低下は、出来る限り抑制されることが望ましい。
【０００５】
本発明は、上述した事情に鑑みてなされたものであり、その目的は、止水部材による優れた止水性を維持可能なコネクタ、を提供することにある。
【課題を解決するための手段】
【０００６】
前述した目的を達成するために、本発明に係るコネクタは、下記［１］〜［４］を特徴としている。
［１］
電線の端末に接続された端子を収容する端子収容室と、前記端子収容室への前記端子の挿入口を取り囲むように設けられた筒状部と、を有するハウジングと、
前記筒状部の開口部から挿入されて前記挿入口を止水する止水部材と、
前記挿入口との間に前記止水部材を挟むように前記開口部から挿入され、前記止水部材の位置を保持する保持部材と、を備える、コネクタであって、
前記保持部材は、
前記筒状部の前記開口部に近い側の当該保持部材の端部に、当該保持部材の外表面から前記筒状部の内周面に向けて突出する突起部を有する、
コネクタであること。
［２］
上記［１］に記載のコネクタにおいて、
前記突起部は、
前記筒状部への前記保持部材の挿入方向の前方から後方に向かうにつれて前記保持部材の前記外表面から離れるように傾斜した傾斜面、を有する、
コネクタであること。
［３］
上記［１］又は上記［２］に記載のコネクタにおいて、
前記保持部材は、
前記筒状部の内周面の形状に対応した柱状の形状を有し、当該保持部材の周方向における角部分の少なくとも一つに、前記突起部を有する、
コネクタであること。
［４］
上記［１］又は上記［２］に記載のコネクタにおいて、
前記保持部材は、複数の前記突起部を有し、
前記突起部は、
前記保持部材の周方向に延びる突条形状を有する、
コネクタであること。
【０００７】
上記［１］の構成のコネクタによれば、保持部材の外表面に突起部が設けられる。この突起部は、コネクタに設けられた筒状部の開口部に近い側の保持部材の端部に配置される。この突起部により、筒状部の内周面と保持部材の外表面との間の隙間が埋められ（いわゆるガタ詰めがなされ）、筒状部に対する保持部材の相対移動が抑制される。特に、電線に及んだ外力の影響を受けやすい「筒状部の開口部に近い側の保持部材の端部」に突起部が設けられることで、保持部材の移動がより効果的に抑制される。よって、本構成のコネクタは、止水部材による優れた止水性を維持可能である。
【０００８】
上記［２］の構成のコネクタによれば、保持部材に設けられた突起部が傾斜面を有する。これにより、このような傾斜面を有さない場合に比べ、筒状部の開口部と突起部との急な接触が緩和されるため、ハウジングに筒状部に保持部材を挿入（例えば、圧入）する作業の作業性が向上する。
【０００９】
上記［３］の構成のコネクタによれば、保持部材の角部分の少なくとも一つに突起部が配置される。これにより、突起部の数を出来る限り少なくしながら、保持部材の移動を効果的に抑制できる。
【００１０】
上記［４］の構成のコネクタによれば、突起部が保持部材の周方向に延びる突条形状（いわゆるリブ）を有する。これにより、保持部材の周方向における広い範囲において、突起部と筒状部の内周面とが接触することになる。よって、保持部材が軸ズレするような移動を、より効果的に抑制できる。
【発明の効果】
【００１１】
本発明によれば、止水部材による優れた止水性を維持可能なコネクタを提供できる。
【００１２】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１３】
【図１】図１（ａ）は、本発明の実施形態に係るコネクタの正面側斜視図であり、図１（ｂ）は、このコネクタの背面側斜視図である。
【図２】図２は、図１に示したコネクタの分解斜視図である。
【図３】図３は、図１（ｂ）のＡ−Ａ断面図である。
【図４】図４（ａ）は、図１のコネクタが備えるマットシールカバーの斜視図であり、図４（ｂ）は、このマットシールカバーの背面図であり、図４（ｃ）は、このマットシールカバーの側面図である。
【図５】図５は、図１（ｂ）に示したマットシールカバーの背面図である。
【図６】図６（ａ）は、本発明の一の変形例に係るコネクタが備えるマットシールカバーの斜視図であり、図６（ｂ）は、このマットシールカバーの背面図であり、図６（ｃ）は、このマットシールカバーの側面図である。
【図７】図７（ａ）は、本発明の他の変形例に係るコネクタが備えるマットシールカバーの斜視図であり、図７（ｂ）は、このマットシールカバーの背面図であり、図７（ｃ）は、このマットシールカバーの側面図である。
【発明を実施するための形態】
【００１４】
＜実施形態＞
以下、図面を参照しながら、本発明の実施形態に係るコネクタ１について説明する。
以下、説明の便宜上、図１に示すように、「正面」及び「背面」を定義する。また、図４に示すように、「上下方向」及び「幅方向」を定義する。なお、コネクタ１は、正面側において相手側コネクタ（図示省略）に対面し、背面側において端子（図示省略）に繋がる電線Ｗが引き出される、ように構成されている。
【００１５】
図１〜図３に示すように、コネクタ１は、樹脂製のハウジング１０と、ハウジング１０の背面側からハウジング１０に取り付けられるゴム製または柔軟な樹脂製のマットシール２０（止水部材）と、マットシール２０をハウジング１０に押し付けるようにハウジング１０の背面側からハウジング１０に取り付けられる樹脂製のマットシールカバー３０（保持部材）と、ハウジング１０の正面側からハウジング１０に取り付けられるパッキン４０と、ハウジング１０の正面側からハウジング１０に取り付けられるフロントホルダ５０と、を備えている。コネクタ１は、マットシール２０によって電線Ｗとハウジング１０との間がシールされる防水コネクタである。
【００１６】
より具体的には、特に図３に示すように、ハウジング１０は、それぞれ端子（図示省略）を収容する複数の端子収容室１１と、端子収容室１１を画成するインナハウジング１２と、インナハウジング１２を外側から取り囲むアウタハウジング１３と、端子収容室１１の背面側に配置された筒状部１５と、を備えている。端子収容室１１は、正面視において矩形状に形成されている。端子収容室１１に、角筒状の形状を有し相手側端子（図示省略）と電気的に接続される端子（図示省略）が、挿入口１１ａを通じて背面側から、所定の姿勢で収容される。
【００１７】
インナハウジング１２とアウタハウジング１３との間の空間に、相手側コネクタ（図示省略）が有するハウジングが挿入される。このとき、アウタハウジング１３に設けられたロックアーム１４が相手側コネクタのハウジングの所定箇所と係合することで、コネクタ１と相手側コネクタとの嵌合状態が保持される。
【００１８】
アウタハウジング１３の背面側の端部は、インナハウジング１２の背面側の端部及び筒状部１５の正面側の端部に繋がっている。筒状部１５は、マットシール２０とマットシールカバー３０を収容するための収容空間１６を画成している。図２に示すように、収容空間１６には、マットシール２０及びマットシールカバー３０が挿入されるように取り付けられる。
【００１９】
より詳細に説明すると、図２に示すように、マットシール２０は、マット本体２１の外周に、マット本体２１がハウジング１０の背面側から筒状部１５の収容空間１６に挿入された際に筒状部１５の内周面との隙間を封止するリップ部２２を有している。マットシール２０には、マット本体２１のハウジング１０の各端子収容室１１に対応する位置に、それぞれ挿通孔２３が貫通形成されている。図３に示すように、挿通孔２３の内周面には複数の凹凸２４が設けられている。挿通孔２３を通り抜けるように電線Ｗが配置されると、挿通孔２３の内周面の凹凸２４が電線Ｗの外周面に密着する。更に、マットシール２０が収容空間１６の内部に挿入されたとき、リップ部２２が筒状部１５の内周面に押し付けられた状態で密着する。その結果、電線Ｗの外周面とマットシール２０との間、及び、筒状部１５の内周面とマットシール２０との間が封止され、ハウジング１０の背面側から端子収容室１１への水などの侵入が抑制される。
【００２０】
マットシールカバー３０は、ハウジング１０の背面側から筒状部１５の収容空間１６に挿入され、マットシール２０を端子収容室１１との間に挟んだ状態で、筒状部１５に固定される。具体的には、マットシールカバー３０は、筒状部１５の内周面に向けて突出する係止突起３１を有している。係止突起３１は、ハウジング１０の筒状部１５に形成された係止ロック孔１７に係合される。マットシールカバー３０は、係止突起３１が係止ロック孔１７に係合することで筒状部１５に固定されるとともに、マットシール２０を筒状部１５の奥側に押し込みながらマットシール２０の位置を保持する。マットシールカバー３０の外表面には、突起部３３（詳細は後述される。）が設けられている。
【００２１】
マットシールカバー３０は、マットシール２０に向かう面から突出するロック部３２を有している。ロック部３２は、マットシール２０の窪み部２５に挿入されることで、マットシール２０の位置ズレを抑制する。更に、マットシールカバー３０には、マットシール２０の挿通孔２３に対応する位置に貫通孔３４が貫通形成されている。図３に示すように、電線Ｗが、この貫通孔３４とマットシール２０の挿通孔２３を通じて、端子収容室１１に向かうことになる。
【００２２】
図４（ａ）〜図４（ｃ）に示すように、マットシールカバー３０は、筒状部１５の開口部１５ａに近い側の端部に、その外表面から筒状部１５の内周面に向けて突出する突起部３３を有する。本例では、突起部３３は、マットシールカバー３０の上側の外表面に２箇所、下側の外表面に２箇所、幅方向の両側の外表面に２箇所、設けられている。突起部３３は、筒状部１５へのマットシールカバー３０の挿入方向（図２も参照）の前方（正面側）から後方（背面側）に向かうにつれて外表面から離れるように傾斜した傾斜面、を有する。突起部３３は、マットシールカバー３０が筒状部１５の収容空間１６に挿入されたとき、筒状部１５の内周面に当接する又は押圧接触する程度の高さ分、外表面から突出している。
【００２３】
図５に示すように、マットシールカバー３０が筒状部１５の収容空間１６に挿入されるように取り付けられると、突起部３３が筒状部１５の内周面に当接した状態または押し付けられた状態となる。これにより、筒状部１５の内周面とマットシールカバー３０の外表面との間の隙間が埋められる（いわゆるガタ詰めがなされる）。更に、突起部３３が上述した傾斜面３３ａを有することで、マットシールカバー３０の取り付け時に筒状部１５の開口部１５ａと突起部３３とが接触したとき、傾斜面３３ａによる案内効果により、突起部３３を滑らかに筒状部１５の内側へ進めることができる。
【００２４】
以上に説明したように、本実施形態に係るコネクタ１によれば、マットシールカバー３０の外表面に突起部３３が設けられる。この突起部３３は、コネクタ１に設けられた筒状部１５の開口部１５ａに近い側のマットシールカバー３０の端部に配置される。この突起部３３により、筒状部１５の内周面とマットシールカバー３０の外表面との間の隙間が埋められ、筒状部１５に対するマットシールカバー３０の相対移動が抑制される。
【００２５】
特に、図３に示す矢印Ｂに示すように、電線Ｗがマットシールカバー３０の貫通孔３４を中心として湾曲するように変形した場合、この変形に起因する外力がマットシールカバー３０に及ぶことになる。ここで、マットシールカバー３０は、このような外力の影響を受けやすい「筒状部１５の開口部１５ａに近い側のマットシールカバー３０の端部」に、突起部３３を有している。よって、このような外力を受けても、マットシールカバー３０の位置ズレが効果的に抑制される。マットシールカバー３０の位置ズレが抑制されることで、マットシール２０の位置ズレも抑制される。したがって、コネクタ１は、マットシール２０による優れた止水性を維持可能である。
【００２６】
また、マットシールカバー３０に設けられた突起部３３は、傾斜面３３ａを有している。これにより、このような傾斜面３３ａを有さない場合に比べ、筒状部１５の開口部１５ａと突起部３３との急な接触が緩和されるため、ハウジングに筒状部１５にマットシールカバー３０を挿入（例えば、圧入）する作業の作業性が向上する。
【００２７】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、上記実施形態では、マットシールカバー３０の外表面に６つの突起部３３が設けられている。しかし、上述したように筒状部１５とマットシールカバー３０との間の隙間を突起部３３が埋め得る限り、突起部３３の数、配置、及び、形状等は特に制限されない。一つの例として、図６に示すように、マットシールカバー３０Ａは、筒状部１５の開口部１５ａに近い側の端部において、マットシールカバー３０の外表面の周方向における角部分の少なくとも一つ（図６では４箇所）に、突起部３５を有する。この突起部３５も、上記同様、傾斜面３５ａを有している。このように角部に突起部３５を配置することで、突起部３５の数を出来る限り少なくしながら、マットシールカバー３０の移動を効果的に抑制できる。
【００２９】
更に、他の例として、図７に示すように、マットシールカバー３０Ｂは、筒状部１５の開口部１５ａに近い側の端部において、マットシールカバー３０の外表面の周方向における角部分において、マットシールカバー３０Ｂの周方向に延びる突起部３６を有する。この突起部３６も、上記同様、傾斜面３６ａを有している。このように周方向に延びる突起部３６を設けることで、マットシールカバー３０の周方向における広い範囲において、突起部３６と筒状部１５の内周面とが接触することになる。よって、マットシールカバー３０の移動を効果的に抑制できる。
【００３０】
ここで、上述した本発明に係るコネクタ１の実施形態の特徴をそれぞれ以下［１］〜［４］に簡潔に纏めて列記する。
［１］
電線（Ｗ）の端末に接続された端子を収容する端子収容室（１１）と、前記端子収容室（１１）への前記端子の挿入口（１１ａ）を取り囲むように設けられた筒状部（１５）と、を有するハウジング（１０）と、
前記筒状部（１５）の開口部（１５ａ）から挿入されて前記挿入口（１１ａ）を止水する止水部材（２０）と、
前記挿入口（１１ａ）との間に前記止水部材（２０）を挟むように前記開口部（１５ａ）から挿入され、前記止水部材（２０）の位置を保持する保持部材（３０）と、を備える、コネクタ（１）であって、
前記保持部材（３０）は、
前記筒状部（１５）の前記開口部（１５ａ）に近い側の当該保持部材（３０）の端部に、当該保持部材（３０）の外表面から前記筒状部（１５）の内周面に向けて突出する突起部（３３，３５，３６）を有する、
コネクタ（１）。
［２］
上記［１］に記載のコネクタ（１）において、
前記突起部（３３，３５，３６）は、
前記筒状部（１５）への前記保持部材（３０）の挿入方向の前方から後方に向かうにつれて前記保持部材（３０）の前記外表面から離れるように傾斜した傾斜面（３３ａ，３５ａ，３６ａ）、を有する、
コネクタ（１）。
［３］
上記［１］又は上記［２］に記載のコネクタ（１）において、
前記保持部材（３０）は、
前記筒状部（１５）の内周面の形状に対応した柱状の形状を有し、当該保持部材（３０）の周方向における角部分の少なくとも一つに、前記突起部（３５）を有する、
コネクタ（１）。
［４］
上記［１］又は上記［２］に記載のコネクタ（１）において、
前記突起部（３６）は、
前記保持部材（３０）の周方向に延びる突条形状を有する、
コネクタ（１）。
【符号の説明】
【００３１】
１    コネクタ
１０    ハウジング
１１    端子収容室
２０    マットシール（止水部材）
３０    マットシールカバー（保持部材）
３３，３５，３６  突起部
３３ａ，３５ａ，３６ａ    傾斜面
Ｗ    電線
【図１】
2020072056.tif 000003
【図２】
2020072056.tif 000004
【図３】
2020072056.tif 000005
【図４】
2020072056.tif 000006
【図５】
2020072056.tif 000007
【図６】
2020072056.tif 000008
【図７】
2020072056.tif 000009